(57)【要約】【課題】複数の入力端子を備え、且つ、簡易な構成でありながら、ユーザーによる入力切り替え操作を容易にすることのできる電子機器を提供すること。【解決手段】複数の入力端子を備えた電子機器１において、複数の入力端子の少なくとも１つに信号が入力されたかを判定する信号判定手段５５と、信号の入力があった入力端子の種類を通知して、通知された入力端子のうち何れかを選択することができるよう選択操作を案内する案内手段７と、を備えたことで、比較的に簡易な構成でありながら、ユーザーによる入力切り替え操作を容易にすることが可能になる。【選択図】図４
2010200223.tif 000002
【特許請求の範囲】
【請求項１】
複数の入力端子を備えた電子機器において、
前記複数の入力端子の少なくとも１つに信号が入力されたかを判定する信号判定手段と、
前記信号の入力があった入力端子の種類を通知して、通知された入力端子のうち何れかを選択することができるよう選択操作を案内する案内手段と、を有することを特徴とする電子機器。
【請求項２】
前記複数の入力端子の少なくとも１つに信号ケーブルが接続されたかを判定する接続端子判定手段を備え、
前記案内手段は、前記信号ケーブルの接続の有無を案内することを特徴とする請求項１に記載の電子機器。
【請求項３】
前記選択操作及び前記接続の有無の少なくとも何れか一方の案内を、前記電子機器を遠隔から制御するリモートコントローラーに対して実行させることを特徴とする請求項１又は２に記載の電子機器。
【請求項４】
前記案内手段は、ＬＥＤの表示形態によって前記選択操作及び前記接続の有無の少なくとも何れか一方を案内することを特徴とする請求項１〜３の何れか１項に記載の電子機器。
【請求項５】
前記案内手段は、音声によって前記選択操作及び前記接続の有無の少なくとも何れか一方を案内することを特徴とする請求項１〜４の何れか１項に記載の電子機器。
【請求項６】
前記電子機器は、プロジェクターであることを特徴とする請求項１〜５の何れかに記載の電子機器。
【請求項７】
複数の入力端子と、前記複数の入力端子の少なくとも１つに信号が入力されたかを判定する信号判定手段と、前記信号の入力があった入力端子の種類を通知して、通知した入力端子のうち何れかを選択することができるよう選択操作を案内する案内手段と、を備えた電子機器を遠隔から制御するリモートコントローラーであって、
前記電子機器から前記選択操作の案内情報を受信する受信手段と、
前記案内情報に基づき、前記選択操作を案内するリモコン案内部と、を有することを特徴とするリモートコントローラー。
【請求項８】
複数の入力端子を備えた電子機器の制御方法であって、
前記複数の入力端子の少なくとも１つに信号が入力されたかを判定する信号判定ステップと、
前記信号の入力があった入力端子の種類を通知して、通知された入力端子のうち何れかを選択することができるよう選択操作を案内する案内ステップと、を含むことを特徴とする電子機器の制御方法。
【請求項９】
複数の入力端子と、前記複数の入力端子の少なくとも１つに信号が入力されたかを判定する信号判定手段と、前記信号の入力があった入力端子の種類を通知して、通知された入力端子のうち何れかを選択することができるよう選択操作を案内する案内手段と、を備えた電子機器を遠隔から制御するリモートコントローラーの制御方法であって、
前記電子機器から前記選択操作の案内情報を受信する受信ステップと、
前記案内情報に基づき、前記選択操作を案内するリモコン案内ステップと、を含むことを特徴とするリモートコントローラーの制御方法。
【請求項１０】
請求項９に記載の信号判定ステップと、案内ステップと、を前記電子機器が備えるコンピューターに実行させることを特徴とするプログラム。
【発明の詳細な説明】
【技術分野】
【０００１】
本発明は、複数の入力端子を備えた電子機器及びその制御方法に関し、更には前記電子機器を遠隔操作するリモートコントローラー及びその制御方法に関し、更には前記電子機器やリモートコントローラーの動作制御を実現するプログラムに関する。
【背景技術】
【０００２】
近年、ＡＶ（Audio Visual）機器等の電子機器においては、従来から普及しているオーディオソースやビデオソースからの入力を受ける入力端子を備えるだけでなく、パーソナルコンピューターからの入力端子を備えるものが増えており、入力端子の数が大幅に増える傾向にある。
【０００３】
上記電子機器の１つであるプロジェクターの場合も、例えば、入力端子として、複数のコンピューター用の入力端子、複数のビデオ入力端子、ＨＤＭＩ（High-Definition Multimedia Interface）入力端子、Ｓ−ビデオ入力端子など、多数の入力端子を備えたものが開発されている。
【０００４】
このように多数の入力端子を備えるプロジェクターとしては、ユーザーが入力ソースの選択切り替えを行うための機械式スイッチを装備したものがある（例えば、特許文献１参照）。また、入力ソースの選択を容易にするために各入力ソースからの入力映像を並べて表示する映像表示装置と、該映像表示装置に表示された複数の映像の中から１つを選択（タッチ）することでその映像に対応する入力ソースにプロジェクターの出力映像の切り替えを行うタッチパネルとを備えたもの（例えば、特許文献２参照）も提案されている。
【先行技術文献】
【特許文献】
【０００５】
【特許文献１】特開２０００−０８１６６６号公報
【特許文献２】特開２００３−３２３１６８号公報
【発明の概要】
【発明が解決しようとする課題】
【０００６】
ところが、上記特許文献１及び特許文献２に記載のプロジェクターも含め、複数の入力端子を備える従来の電子機器では、信号の入力があった入力端子の種類をユーザーに簡易に明示するような構成は提案されていない。このため、ユーザーが電子機器に対して複数の入力機器を接続している場合は、特定の入力機器を速やかに選択することが難しく、取り扱い性がよくない場合がある。
【０００７】
上記の特許文献２に記載のプロジェクターの場合は、映像表示装置に表示される複数の映像の中から１つを選択（タッチ）することで、その映像を出力している入力機器を簡単に選択することができるが、入力機器が映像以外の場合には対応することができない。更に、複数の映像を並べて表示する映像表示装置やタッチパネルは、装置構成が煩雑で、大型化や高額化を招くため、安価な電子機器や小型の電子機器への適用は難しい。
【０００８】
本発明は上記課題を解決するためになされたものであって、複数の入力端子を備えた電子機器において、ユーザーによる入力切り替え操作を容易にすることのできる電子機器及びその制御方法を提供することを目的とする。更には、その電子機器を遠隔操作するリモートコントローラー及びその制御方法を提供すること、更には、その電子機器やリモートコントローラーの動作制御を実現するプログラムを提供することを目的とする。
【課題を解決するための手段】
【０００９】
上記課題を解決することのできる本発明は、複数の入力端子を備えた電子機器において、
前記複数の入力端子の少なくとも１つに信号が入力されたかを判定する信号判定手段と、前記信号の入力があった入力端子の種類を通知して、通知された入力端子のうち何れかを選択することができるよう選択操作を案内する案内手段と、を有することを特徴とする。
【００１０】
上記構成によれば、入力機器から入力端子に信号が入力されると、信号判定手段が信号入力のあった入力端子を検知する。そして、信号入力があった入力端子を、案内手段がユーザーに通知すると共に、通知した入力端子のうちの何れかをユーザーが選択することができるよう選択操作を案内する。
したがって、ユーザーは、案内手段の案内に従って操作することで、利用したい入力機器に切り替えることができ、ユーザーによる入力切り替え操作を容易にすることができる。
また、信号入力のあった入力端子が複数存在する場合も、案内手段は入力端子の種類をユーザーに通知するため、ユーザーは選択候補を絞り易く、入力切り替え操作を容易にすることができる。
【００１１】
前記複数の入力端子の少なくとも１つに信号ケーブルが接続されたかを判定する接続端子判定手段を備え、前記案内手段は、前記信号ケーブルの接続の有無を案内することを特徴とする。
上記構成によれば、ユーザーは入力端子毎に信号ケーブルの接続の有無を知ることができる。ユーザーは信号ケーブルが接続された入力機器を知ることができるため、操作対象とする入力機器に対して迷うことなく入力操作を実行させることができる。
【００１２】
また、本発明の電子機器において、前記選択操作及び前記接続の有無の少なくとも何れか一方の案内を、前記電子機器を遠隔から制御するリモートコントローラーに対して実行させることを特徴とする。
上記構成によれば、複数の入力機器が接続されている電子機器がユーザーから離れた位置にある場合でも、リモートコントローラーにより入力機器の選択切り替え操作を遠隔制御できるため、電子機器の使い勝手を向上させることができる。
【００１３】
また、本発明の電子機器において、前記案内手段は、ＬＥＤの表示形態によって前記選択操作及び前記接続の有無の少なくとも何れか一方を案内することを特徴とする。
上記構成によれば、入力端子の種類に相応する数量のＬＥＤを配置しておき、信号入力の有無、ケーブルの接続の有無やそれらの組み合わせに対応し、信号がある場合やケーブルが接続されている場合はＬＥＤを点灯させることで、どの入力端子に信号が入力されているか一目で判断することが可能となり、極めて簡易かつコンパクトな構成で選択操作の案内を実現することができる。
したがって、簡易な構成でありながら信号が入力されている入力端子の種類や接続されている信号ケーブルの種類を確実にユーザーに通知でき、ユーザーは入力切り替え操作を容易にすることができる。
また、案内手段の構成を簡易かつコンパクトにまとめることができるため、安価な電子機器や小型の電子機器に適用することができる。
【００１４】
また、本発明の電子機器において、前記案内手段は、音声によって前記選択操作及び前記接続の有無の少なくとも何れか一方を案内することを特徴とする。
上記構成によれば、簡易な構成で信号が入力される入力端子の種類や接続されている信号ケーブルの種類を確実にユーザーに通知でき、ユーザーは入力切り替え操作を容易にすることができる。
また、案内手段の構成を簡易かつコンパクトにできるため、安価な電子機器や小型の電子機器に適用することができる。
【００１５】
また、本発明の電子機器は、プロジェクターであることを特徴とする。
上記構成によれば、プロジェクターに複数の入力機器が接続されている場合に、ユーザーは、案内手段の案内に従って操作することで利用する入力機器への切り替えが簡単に実現できる。
したがって、複数の入力端子を備えたプロジェクターの使い勝手を向上させることができる。
【００１６】
また、上記課題を解決することのできる本発明は、複数の入力端子と、前記複数の入力端子の少なくとも１つに信号が入力されたかを判定する信号判定手段と、前記信号の入力があった入力端子の種類を通知して、通知された入力端子のうち何れかを選択することができるよう選択操作を案内する案内手段と、を備えた電子機器を遠隔から制御するリモートコントローラーであって、前記電子機器から前記選択操作の案内情報を受信する受信手段と、前記案内情報に基づき、前記選択操作を案内するリモコン案内部と、を有することを特徴とする。
上記構成によれば、リモートコントローラーは、電子機器が生成した案内情報を受信手段により入手し、入手した案内情報に基づいてリモコン案内部がユーザーに選択操作を案内するので、ユーザーは、電子機器における入力切り替え操作を、リモートコントローラー上から簡単に実施できる。
【００１７】
また、上記課題を解決することのできる本発明は、複数の入力端子を備えた電子機器の制御方法であって、前記複数の入力端子の少なくとも１つに信号が入力されたかを判定する信号判定ステップと、前記信号の入力があった入力端子の種類を通知して、通知された入力端子のうち何れかを選択することができるよう選択操作を案内する案内ステップと、を含むことを特徴とする。
上記構成によれば、入力端子に接続されている入力機器から前記入力端子に信号が入力されると、信号入力のあった入力端子が信号判定ステップにより検知される。そして、案内ステップで、信号入力のあった入力端子をユーザーに通知すると共に、通知した入力端子のうち何れかを選択できるようにユーザーに選択操作を案内する。
したがって、ユーザーは、案内ステップで示される案内に従って操作することで、利用したい入力機器に切り替えを行うことができ、入力切り替え操作を容易にすることができる。また、信号入力のあった入力端子が複数存在する場合も、案内ステップで入力端子の種類を通知するため、ユーザーは選択候補を絞り易く、この点でも、ユーザーによる入力切り替え操作を容易にすることができる。
【００１８】
また、上記課題を解決することのできる本発明は、複数の入力端子と、前記複数の入力端子の少なくとも１つに信号が入力されたかを判定する信号判定手段と、前記信号の入力があった入力端子の種類を通知して、通知された入力端子のうち何れかを選択することができるよう選択操作を案内する案内手段と、を備えた電子機器を遠隔から制御するリモートコントローラーの制御方法であって、前記電子機器から前記選択操作の案内情報を受信する受信ステップと、前記案内情報に基づき、前記選択操作を案内するリモコン案内ステップと、を含むことを特徴とする。
上記構成によれば、リモートコントローラーは、電子機器により通知される案内情報に基づいて選択操作をユーザーに案内するため、ユーザーは、電子機器における入力切り替え操作を、リモートコントローラー上から簡単に実施できるようになる。
【００１９】
また、上記課題を解決することのできる本発明は、上記の信号判定ステップと、案内ステップと、を前記電子機器が備えるコンピューターに実行させるプログラムである。
上記構成によれば、コンピューターに本発明のプログラムをインストールすることで、上記の電子機器の制御方法が実施可能になり、上記の電子機器の制御方法の普及・利用を容易にすることができる。
【図面の簡単な説明】
【００２０】
【図１】本発明に係る電子機器の一例であるプロジェクターの一実施形態の概観斜視図である。
【図２】図１に示したプロジェクターの背面図である。
【図３】図１のプロジェクターを遠隔操作するリモートコントローラーの上面図である。
【図４】本発明の一実施形態のプロジェクター及びリモートコントローラーの構成を示すブロック図である。
【図５】図４に示したプロジェクター及びリモートコントローラーの制御方法を示すフローチャートである。
【図６】プロジェクター及びリモートコントローラーの案内手段を構成する複数個のＬＥＤの点灯パターンの例の説明図である。
【発明を実施するための形態】
【００２１】
以下、本発明に係る電子機器及びその制御方法、リモートコントローラー及びその制御方法、プログラムの好適な実施形態について、図面を参照して詳細に説明する。
【００２２】
図１及び図２に示したプロジェクター１は、投写レンズ５が装備されている面を前面２とすると、筐体３の前面２と対向する背面４寄りの上面６には後述の映像信号入力端子案内部７を構成する５個のＬＥＤ７ａ〜７ｅが装備されている。筐体３の前面２寄りの上面６には、プロジェクター１の動作状態を示す状態インジケーター８が装備されている。
【００２３】
状態インジケーター８は、４個のＬＥＤ発光部８ａ〜８ｄから構成されており、第１のＬＥＤ発光部８ａは電源の動作状態（スタンバイ状態、ウォームアップ中、投写動作中）等を発光色（橙，緑）の切り換えや、点滅、点灯により通知する。第２のＬＥＤ発光部８ｂは、投写する光源の動作状態を、赤色ＬＥＤの点灯、点滅、消灯により通知する。第３のＬＥＤ発光部８ｃは、筐体３内部の温度状態の異常の有無を赤色ＬＥＤの点灯、点滅、消灯により通知する。第４のＬＥＤ発光部８ｄは、オプションで装備される無線ＬＡＮユニットの動作状態の通知を行う。
【００２４】
また、図１に示すように、筐体３の上面６と対向する下面１０の前面側には、後述のリモートコントローラー９の出力信号を受信する受信部１１が設けられている。
【００２５】
また、図２に示すように、筐体３の背面４には、操作入力部１３、各種の入力機器を接続する複数の入力端子Ｉ１〜Ｉ７、ＬＡＮ端子１５及びＵＳＢ端子１６、モニター出力端子１７や音声出力端子１８などが配置されている。
【００２６】
操作入力部１３には、電源をＯＮ，ＯＦＦする電源ボタン１３ａ、環境設定メニューの表示／終了を行うメニューボタン１３ｂ、メニュー画面等から入力項目の選択を行う選択操作ボタン１３ｃ、入力端子Ｉ１〜Ｉ７に接続されている入力機器のうち、信号入力している機器を順に切り換え接続する入力検出ボタン１３ｄなどが備えられている。
【００２７】
複数の入力端子Ｉ１〜Ｉ７の用途は、例えば次のようなものである。
入力端子Ｉ１およびＩ２は、コンピューター１およびコンピューター２の映像信号を入力させるコンピューター接続端子である。入力端子Ｉ３は、コンピューター又はビデオ機器のコンポーネント信号を入力するＢＮＣ入力端子である。入力端子Ｉ４はビデオ機器のＳ−ビデオ信号を入力するＳ−ビデオ入力端子である。入力端子Ｉ５はビデオ機器のコンポジットビデオ信号を入力するビデオ１入力端子である。入力端子Ｉ６はビデオ機器のコンポジットビデオ信号を入力するビデオ２入力端子である入力端子Ｉ７はＨＤＭＩに対応したビデオ機器やコンピューターの信号を入力するＨＤＭＩ入力端子である。
【００２８】
図３に示すように、リモートコントローラー９は、そのハウジング２１の上面に、電源をＯＮ，ＯＦＦする電源ボタン１３ａ、環境設定メニューの表示／終了を行うメニューボタン１３ｂ、メニュー画面等から入力項目の選択を行う選択操作ボタン１３ｃ、入力端子Ｉ１〜Ｉ７に接続されている入力機器のうち、信号入力している機器を順に切り換え接続する入力検出ボタン１３ｄ、後述のリモコン案内部２２を構成する５個のＬＥＤ２２ａ〜２２ｅ、投写している映像の操作や調整を行うための各種の設定ボタンから構成される設定部２３、プロジェクター１との信号の送受信時に発光するインジケーター２５などが備えられている。
【００２９】
また、リモートコントローラー９は、図３に示すように、プロジェクター１の受信部１１へ向ける面を前面２０とすると、ハウジング２１の前面２０にリモコン信号を出力するリモコン送信部２７が設けられている。また、本実施形態のリモートコントローラー９の場合は、プロジェクター１から送信される案内情報（詳細は後述）の信号を受信するリモコン受信部２８（図４参照）がハウジング２１上に配置されている。なお、リモコン受信部２８は、プロジェクター１から送信される案内情報を受信できればよく、特に位置を限定する必要はない。
【００３０】
リモートコントローラー９のハウジング２１の上面２４に配置された電源ボタン１３ａ、環境設定メニューの表示／終了を行うメニューボタン１３ｂ、メニュー画面等から入力項目の選択を行う選択操作ボタン１３ｃ、入力端子Ｉ１〜Ｉ７に接続されている入力機器の内の信号入力している機器を順に切り換え接続する入力検出ボタン１３ｄは、プロジェクター１の筐体３の背面４に装備された操作入力部１３の各ボタンと同様の機能を果たすものである。
【００３１】
リモートコントローラー９のハウジング２１の上面２４に配置されたリモコン案内部２２は、プロジェクター１の筐体３の上面に配置された映像信号入力端子案内部７と同様の機能を果たすもので、リモコン案内部２２を構成しているＬＥＤ２２ａ〜２２ｅは、映像信号入力端子案内部７を構成しているＬＥＤ７ａ〜７ｅに対応している。
【００３２】
（プロジェクターの内部構成について）
次に、図４に基づいて、プロジェクター１及びリモートコントローラー９の機能構成について説明する。図４は、本発明の一実施形態のプロジェクター及びリモートコントローラーの構成を示すブロック図である。
【００３３】
プロジェクター１は、プロジェクター１とは別体の投写面（スクリーン）３３に画面の投写を行う表示部３５として、光源３７と、光源３７からの光を変調して投写面３３に投写する画像形成部３９とを有している。
【００３４】
また、このプロジェクター１は、前述の映像信号入力端子案内部７や操作入力部１３や上述の表示部３５の他に、前述の入力端子Ｉ１〜Ｉ７に入力機器が接続されているか否かを検出する接続端子検出部４１、各入力端子Ｉ１〜Ｉ７に入力する映像信号を検出する映像信号検出部４３、操作入力部１３の入力検出ボタン１３ｄによる選択操作等で選択された入力端子に入力した映像信号を表示部３５の画像形成部３９に出力する映像信号処理部４５、光源３７が所定の輝度となるように光源３７への給電を行う光源駆動部４７、リモートコントローラー９のリモコン送信部２７が出力する信号（リモコン信号）を受信する前述の受信部１１、リモートコントローラー９のリモコン受信部２８に後述する案内情報を送信する送信部５３、各部の動作を制御するコンピューターである制御部５５、を備えている。
【００３５】
制御部５５は、受信部１１や操作入力部１３や接続端子検出部４１や映像信号検出部４３からの信号を監視していて、各部の動作を制御する。
また、制御部５５は、接続端子検出部４１や映像信号検出部４３から入力する信号に基づいて、複数の入力端子Ｉ１〜Ｉ７の少なくとも１つに映像信号が入力されたか否かを判定する信号判定手段とて機能する。信号判定手段の判定結果に相応した案内情報を映像信号入力端子案内部７に送信し、映像信号入力端子案内部７の動作制御を行う。また、制御部５５は、案内情報を送信部５３を介してリモートコントローラー９に送信して、リモコン案内部２２により、映像信号の入力があった入力端子の種類をユーザーに通知させると共に、通知した入力端子のうち何れかを選択することができるよう選択操作を案内させる。
【００３６】
ここで案内情報とは、信号の入力があった入力端子の種類を通知するために必要な情報や、信号の入力があった入力端子のうち何れかを選択することができるよう選択操作を案内するための情報を含んだものである。
【００３７】
映像信号入力端子案内部７は案内手段として機能し、制御部５５から送信される案内情報に基づいて、複数のＬＥＤ７ａ〜７ｅの点灯や点滅又は消灯、あるいは発光色を制御して、映像信号の入力があった入力端子の種類をユーザーに通知する。また、映像信号入力端子案内部７は、押しボタンになっている。このため、ユーザーは通知した入力端子に対応する何れかのボタンを押下することで、投写したい映像信号の入力端子を選択することができる。上述のとおり、映像信号入力端子案内部７は、選択操作を案内する案内手段として機能する。
【００３８】
（リモートコントローラーの内部構成について）
図４に示すように、リモートコントローラー９は、プロジェクター１に信号を送信するリモコン送信部２７と、プロジェクター１から送信された選択操作の案内情報を受信する受信手段であるリモコン受信部２８と、操作入力部６１と、送受信する各種信号やユーザーが操作入力部６１の操作で設定した情報等を格納する記憶部６２と、入力操作等をＬＥＤランプの点灯等により表示する表示部６３と、各部の動作を制御するコンピューターであるリモコン制御部６５とを備えている。
【００３９】
操作入力部６１は、図３に示した電源ボタン１３ａ、メニューボタン１３ｂ、選択操作ボタン１３ｃ、入力検出ボタン１３ｄや、設定部２３に配置されている各種の設定ボタンにより構成される。
【００４０】
表示部６３は、リモコン案内部２２を構成している複数個のＬＥＤ２２ａ〜２２ｅや、リモコン信号の送受信状態を表示するインジケーター２５、更には、各種の操作ボタンや設定ボタンを必要に応じて発光させる表示ランプ等が該当する。
【００４１】
リモコン制御部６５は、プロジェクター１から送信される案内情報をリモコン受信部２８にて受信すると、その受信情報に基づいてリモコン案内部２２を作動させて、映像信号の入力があった入力端子の種類をユーザーに通知する。
【００４２】
また、リモートコントローラー９のリモコン案内部２２は、リモコン受信部２８が受信した案内信号に基づいて、映像信号入力端子案内部７と同様の動作を行う。すなわちリモコン案内部２２は選択操作を案内する案内手段として機能する。
リモコン案内部２２は、案内情報に基づいて、複数のＬＥＤ２２ａ〜２２ｅの点灯や点滅又は消灯、あるいは発光色を制御して、信号の入力があった入力端子の種類をユーザーに通知する。また、映像信号入力端子案内部７と同様に、リモコン案内部２２は押しボタンになっている。このため、ユーザーは通知した入力端子に対応する何れかのボタンを押下することで、投写したい映像信号の入力端子を選択することができる。
【００４３】
なお、本実施形態の場合、映像信号入力端子案内部７及びリモコン案内部２２において、ＬＥＤ７ａ，２２ａは、ＬＥＤの表示形態（点灯や点滅又は消灯、あるいは発光色）の切り換えにより、入力端子Ｉ１，Ｉ２（コンピューター１，２接続端子）への映像信号の入力の有無を通知する。同様に、ＬＥＤ７ｂ，２２ｂは、入力端子Ｉ３（ＢＮＣ入力端子）への映像信号の入力の有無を通知する。また、ＬＥＤ７ｃ，２２ｃは、入力端子Ｉ４（Ｓ−ビデオ入力端子）への映像信号の入力の有無を通知する。また、ＬＥＤ７ｄ，２２ｄは、入力端子Ｉ５，Ｉ６（ビデオ１，２入力端子）への映像信号の入力の有無を通知する。また、ＬＥＤ７ｅ，２２ｅは、入力端子Ｉ７（ＨＤＭＩ入力端子）への映像信号の入力の有無を通知する。
【００４４】
（入力端子の種類を案内する方法について）
以上に説明したプロジェクター１の制御部５５や、リモートコントローラー９のリモコン制御部６５は、ファームウエアとして搭載されたプログラムにより各部の動作を制御するコンピューターで、図５に示す制御方法を実施して、プロジェクター１の入力機器の切り替え動作を制御する。
【００４５】
図５に示した制御方法において、ステップＳ１１〜Ｓ１６はプロジェクター１における制御処理で、ステップＳ２１〜ステップＳ２３はリモートコントローラー９における制御処理である。
【００４６】
図５は、図４に示したプロジェクター及びリモートコントローラーの制御方法を示すフローチャートであり、図６は、プロジェクター及びリモートコントローラーの案内手段を構成する複数個のＬＥＤの点灯パターンの例の説明図である。
【００４７】
まず、プロジェクター１は、接続端子検出部４１により入力端子Ｉ１〜Ｉ７の何れかに入力機器からの信号ケーブルが接続されているか否かを判定する（ステップＳ１１）。入力端子にケーブルが接続されているか否かの判定は、物理的なスイッチを設け、スイッチのON／ＯＦＦによって判定することができる。
【００４８】
接続されている入力機器が存在する場合には次のステップに進んで、映像信号検出部４３により入力機器から映像信号が入力されているか否かを判定する（ステップＳ１２）。ステップＳ１２における処理は、複数の入力端子の少なくとも１つに映像信号が入力されたかを判定する信号判定ステップとなっている。なお、映像信号が入力されているか否かの判定は、電気的な入力信号の有無によって判定したり、入力信号データのヘッダーに含まれる情報に基づき判定することができる。
【００４９】
ステップＳ１２において、映像信号の入力があった入力端子が存在する場合は、次のステップＳ１３に進む。制御部５５から映像信号入力端子案内部７に案内情報が送信され、映像信号入力端子案内部７が信号の入力があった入力端子に対応するＬＥＤ７ａ〜７ｅを点灯させる（ステップＳ１３）。すなわち、信号の入力があった入力端子の種類を通知して、通知された入力端子のうち何れかを選択することができるよう選択操作を案内する案内ステップである。次に、制御部５５はステップＳ１３で生成した案内情報を送信部５３によりリモートコントローラー９に送信する（ステップＳ１４）。
【００５０】
リモートコントローラー９は、電子機器であるプロジェクター１から選択操作の案内情報を受信する。プロジェクター１から案内情報を受信したリモートコントローラー９のリモコン制御部６５は、案内情報に基づいてリモコン案内部２２を作動させて、選択操作を案内するリモコン案内ステップを実施する（ステップＳ２１）。
【００５１】
図６の（ａ）〜（ｄ）は、プロジェクター１のＬＥＤ７ａ〜７ｅ、及びこれに対応するリモコン案内部２２を構成している各ＬＥＤ２２ａ〜２２ｅの点灯パターンを例示したものである。
【００５２】
図６（ａ）は、ＬＥＤ７ａ〜７ｅ（２２ａ〜２２ｅ）のうち、ＬＥＤ１ａ（２２ａ）だけを第１の発色Ｃ１で発光させ、その他のＬＥＤ７ｂ〜７ｅ（２２ｂ〜２２ｅ）は消灯させている。第１の発色Ｃ１は、図６の最下段に示すように、コンピューター１又はビデオ１から映像信号があった時の発色で、この発色をＬＥＤ７ａ（２２ａ）にさせることで、コンピューター１から信号入力があったことを通知することができる。また、消灯は、図６の最下段に示した第４の発色Ｃ４に相当する。この結果、図６（ａ）の例は、コンピューター１が接続されている入力端子Ｉ１のみから信号入力があったことを通知している。
【００５３】
図６（ｂ）は、ＬＥＤ７ａ〜７ｅ（２２ａ〜２２ｅ）のうち、ＬＥＤ７ａ（２２ａ）だけを第２の発色Ｃ２で発光させ、その他のＬＥＤ７ｂ〜７ｅ（２２ｂ〜２２ｅ）は消灯（すなわち、第４の発色Ｃ４）させている。第２の発色Ｃ２は、図６の最下段に示すように、コンピューター２又はビデオ２から映像信号があった時の発色で、この発色をＬＥＤ２２ａにさせることで、コンピューター２から信号入力があったことを通知することができる。従って、図６（ｂ）の例は、コンピューター２が接続されている入力端子Ｉ２のみから信号入力があったことを通知している。
【００５４】
図６（ｃ）は、ＬＥＤ７ａ〜７ｅ（２２ａ〜２２ｅ）のうち、ＬＥＤ７ｄ（２２ｄ）を第１の発色Ｃ１で発光させると共に、ＬＥＤ７ｅ（２２ｅ）を第３の発色Ｃ３で発光させ、その他のＬＥＤ７ａ〜７ｃ（２２ａ〜２２ｃ）は消灯（すなわち、第４の発色Ｃ４）させている。第３の発色Ｃ３は、図６の最下段に示すように、コンピューター１，２及びビデオ１，２以外の映像信号があった時の発色で、この発色をＬＥＤ７ｅ（２２ｅ）にさせることで、ＨＤＭＩの信号入力があったことを通知している。また、ＬＥＤ７ｄ（２２ｄ）の第１の発色は、ビデオ１から信号入力があったことを通知している。従って、図６（ｃ）の例は、ビデオ１とＨＤＭＩとの２種の入力端子Ｉ５，Ｉ７に信号入力があったことを通知している。
【００５５】
図６（ｄ）は、ＬＥＤ７ａ（２２ａ）は第１の発色Ｃ１に、ＬＥＤ７ｂ（２２ｂ）とＬＥＤ７ｃ（２２ｃ）とＬＥＤ７ｅ（２２ｅ）は第３の発色Ｃ３に、ＬＥＤ７ｄ（２２ｄ）は第２の発色Ｃ２に発光させている。
その結果、コンピューター１が接続される入力端子Ｉ１と、ＢＮＣ入力端子であるＩ３と、Ｓ−ビデオ入力端子である入力端子Ｉ４と、ビデオ２入力端子である入力端子Ｉ６と、ＨＤＭＩ入力端子である入力端子Ｉ７の５つの入力端子のそれぞれに信号入力があったことを通知している。
【００５６】
以上、図６（ａ）〜（ｄ）に示したように、映像信号入力端子案内部７に装備したＬＥＤ７ａ〜ＬＥＤ７ｅやリモコン案内部２２に装備したＬＥＤ２２ａ〜２２ｅの表示形態により、信号の入力があった入力端子の種類を確実に通知することができる。
【００５７】
ユーザーは、映像信号入力端子案内部７やリモコン案内部２２で通知された入力端子のうち、自分が選択したい入力端子に対応する押しボタンを押下する。例えば、映像信号入力端子案内部７のうち選択したい入力端子に対応する押しボタンによって入力端子が選択されると（ステップＳ１５：Ｙｅｓ）、プロジェクター１の制御部５５は、リモートコントローラー９から通知された入力端子に接続を切り替える。なお、入力端子の選択は選択操作ボタン１３ｃで指示してもよい。そして、ユーザーが指示した入力端子からの映像信号を投写し（ステップＳ１６）、入力切り換え処理を終了する。
【００５８】
一方、リモコン案内部２２のうち選択したい入力端子に対応する押しボタンによって入力端子が選択された場合は（ステップＳ２２：Ｙｅｓ）、リモコン制御部６５はユーザーにより選択された入力端子の種類を示す信号をリモコン送信部２７からプロジェクター１に通知する（ステップＳ２３）。プロジェクター１の制御部５５は、リモートコントローラー９から通知された入力端子に接続切り替え、ユーザーが指示した入力端子からの映像信号を投写し（ステップＳ１６）、入力切り換え処理を終了する。
【００５９】
なお、上記実施形態では、映像信号を検出した入力端子を案内する方法を説明したが、映像信号が入力されなくても、入力機器からの信号ケーブルの接続の有無を案内することもできる。
例えば、図５のステップＳ１１において何れの入力端子にも信号ケーブルが接続されていなかった場合は（ステップＳ１１：Ｎｏ）、何れのＬＥＤを点灯させることなく、その旨を音声によって案内してもよい。
また、ステップＳ１１において信号ケーブルが接続されていることを検出したが、ステップＳ１２において映像信号が検出されなかった場合は（ステップＳ１１：Ｙｅｓ，ステップＳ１２：Ｎｏ）、接続端子検出部４１が検出した入力端子を案内してもよい。すなわち、プロジェクター１のＬＥＤ７ａ〜ＬＥＤ７ｅやリモートコントローラー９のＬＥＤ２２ａ〜２２ｅの表示形態によって、信号ケーブルが接続された入力端子を案内する。
【００６０】
以上の説明した一実施形態のプロジェクター１では、各入力端子Ｉ１〜Ｉ７の何れかに接続されている入力機器から信号が入力すれば、信号入力のあった入力端子が信号判定手段により検知される。そして、案内手段である映像信号入力端子案内部７が、信号入力があった入力端子Ｉ１〜Ｉ７をユーザーに通知すると共に、通知した入力端子Ｉ１〜Ｉ７のうち何れかをユーザーが選択することができるよう選択操作を案内する。
したがって、ユーザーは、映像信号入力端子案内部７の案内に従って操作することで、利用したい入力機器に切り替えることができ、ユーザーによる入力切り替え操作を容易にすることができる。
【００６１】
また、図６（ｃ）、（ｄ）に示すように信号入力のあった入力端子が複数存在する場合も、案内手段は信号入力のあった入力端子Ｉ１〜Ｉ７の種類を通知するため、ユーザーは選択候補を絞り易く、ユーザーによる入力切り替え操作を容易にすることができる。
【００６２】
また、本実施形態のプロジェクター１の場合は、選択操作の案内を、プロジェクター１を遠隔から制御するリモートコントローラー９に対して実行させることができる。
そのため、複数の入力機器が接続されているプロジェクター１がユーザーから離れた位置にある場合も、入力機器の選択切り替えはリモートコントローラー９により遠隔操作できるため、プロジェクター１の取り扱い性を向上させることができる。
【００６３】
また、本実施形態のプロジェクター１の場合は、案内手段である映像信号入力端子案内部７やリモコン案内部２２は、ＬＥＤの表示形態によって入力機器の選択操作を案内する構成となっている。そのため、例えば液晶ディスプレイ等による画面表示により案内する従来技術の場合と比較すると、入力端子Ｉ１〜Ｉ７の種類に相応する数量のＬＥＤを配置しておいて、信号入力のあった入力端子Ｉ１〜Ｉ７に対応するＬＥＤだけを点灯させるなど、極めて簡易で、コンパクトな構成で選択操作の案内を実現することができる。
したがって、簡易な構成でありながら信号が入力されている入力端子Ｉ１〜Ｉ７の種類を確実に通知でき、ユーザーによる入力切り替え操作を容易にすることができる。
また、案内手段である映像信号入力端子案内部７やリモコン案内部２２の構成を簡易かつコンパクトにまとめることができるため、安価な電子機器や小型の電子機器にも適用することができる。
【００６４】
また、本発明に係る電子機器に装備する案内手段は、上記実施形態に示したＬＥＤを使ったものに限るものではなく，例えば、音声によって選択操作を案内する構成としても良い。
このように、音声で選択操作を案内するようにした場合も、簡易な構成で信号が入力されている入力端子Ｉ１〜Ｉ７の種類を確実に通知でき、ユーザーによる入力切り替え操作を容易にすることができる。このため、案内手段の構成を簡易かつコンパクトにまとめることができ、安価な電子機器や小型の電子機器にも適用することができる。
【００６５】
また、本発明に係る電子機器は、上記実施形態に示したプロジェクターに限らない。本発明は、複数の入力端子を備える各種の電子機器に適用可能であり、例えば、複数の入力端子を備えるテレビジョンセットや、各種のＡＶ機器などの電子機器にも利用することができる。
【符号の説明】
【００６６】
１：プロジェクター（電子機器）、３：筐体、７：映像信号入力端子案内部（案内手段）、７ａ〜７ｅ：ＬＥＤ、９：リモートコントローラー、１１：受信部、１３：操作入力部、１３ａ：電源ボタン、１３ｂ：メニューボタン、１３ｃ：選択操作ボタン、１３ｄ：入力検出ボタン、２１：筐体、２２：リモコン案内部、２２ａ〜２２ｅ：ＬＥＤ、２３：設定部、２７：リモコン送信部、２８：リモコン受信部、３５：表示部、３７：光源、３９：画像形成部、４１：接続端子検出部、４３：映像信号検出部、４５：映像信号処理部、５３：送信部、５５：制御部（信号判定手段）、６１：操作入力部、６３：表示部、６５：リモコン制御部、Ｉ１〜Ｉ７：入力端子。
【図１】
2010200223.tif 000003
【図２】
2010200223.tif 000004
【図３】
2010200223.tif 000005
【図４】
2010200223.tif 000006
【図５】
2010200223.tif 000007
【図６】
2010200223.tif 000008